(57)【要約】【課題】  個人情報を漏洩させずに、ネットワーク上のどの装置で論理アドレスを変換しても付加的な論理アドレスサービスを起動することを可能にする。【解決手段】  本発明は、論理アドレス管理装置において、論理アドレスに対するアドレスリストとして、転送アドレスの組と実アドレスの組の２組のアドレスリストを保持し、ネットワーク上の装置からの論理アドレス変換要求に対しては転送アドレスを含むアドレスリストを応答し、アプリケーション実行装置からの論理アドレス変換要求に対しては実アドレスを含むアドレスリストを応答し、ネットワーク上の装置では、返却された転送アドレスを用いてアプリケーション実行装置にアクセスし、アプリケーション実行装置では、返却された実アドレスを用いて付加的な論理アドレスサービスを実行する。【選択図】  図１
2005039706.tif 000002
【特許請求の範囲】
【請求項１】
通信ネットワークサービスを提供するシステムにおけるアプリケーションロジックを必要とする付加的な論理アドレスサービスを起動させるための論理アドレスサービス起動方法において、
論理アドレスを管理する論理アドレス管理装置において、
１つの論理アドレスに対して、該論理アドレスに対するアドレスリストとして、アプリケーションを実行するアプリケーション実行装置への転送アドレスの組と、実アドレスの組の、２組のアドレスリストを保持し、
論理アドレス変換の要求元がアプリケーションロジックを搭載し、かつ、実アドレスを含むアドレスリストを応答しても個人情報の漏洩が発生しない装置であるかどうかを判定し、
アプリケーションロジックを搭載していないか、あるいは、実アドレスを含むアドレスリストを応答すると個人情報の漏洩が発生しそうなネットワーク上の装置に対しては、転送アドレスを含むアドレスリストを、ネットワークを介して送信し、
前記アプリケーションロジックを搭載し、かつ、実アドレスを含むアドレスリストを応答しても個人情報の漏洩が発生しないアプリケーション実行装置に対しては、実アドレスを含むアドレスリストを、ネットワークを介して送信し、
前記アプリケーション実行装置では、
付加的な論理アドレスサービスのアプリケーションロジックにより、実アドレスを含むアドレスリストを用いて付加的な論理アドレスサービスを実行することを特徴とする論理アドレス起動方法。
【請求項２】
前記論理アドレス管理装置において、
対応する元の論理アドレスを一意に定めることができるアドレスを、転送アドレスとして保持する請求項１記載の論理アドレス起動方法。
【請求項３】
前記論理アドレス管理装置において、
ネットワーク上の装置からの論理アドレス変換要求に対して、アドレスリストとして転送アドレスを含むアドレスリストを応答し、
前記ネットワーク上の装置において、
前記論理アドレス管理装置から送信されたアドレスリスト中の転送アドレスを用いて、前記アプリケーション実行装置にアクセスすることで、前記アプリケーションロジックを起動する請求項２記載の論理アドレス起動方法。
【請求項４】
前記アプリケーション実行装置において、
前記転送アドレスから一意に定まる論理アドレスを抽出する請求項３記載の論理アドレス起動方法。
【請求項５】
前記アプリケーション実行装置において、
前記論理アドレス管理装置に対して、前記アプリケーション実行装置において抽出された前記論理アドレスのアドレス変換要求を行い、
前記論理アドレス管理装置から送信されたアドレスリスト中の実アドレスを用いて、付加的な論理アドレスサービスを実行する請求項４記載の論理アドレス起動方法。
【請求項６】
付加的な論理アドレスサービスを起動させるための論理アドレス管理装置であって、
論理アドレスに対するアドレスリストとして、転送アドレスの組と、実アドレスの組の２組のアドレスリストを保持するアドレスリスト保持手段と、
ネットワークを介して、アプリケーションロジックを搭載していないか、あるいは、実アドレスを含むアドレスリストを応答すると個人情報の漏洩が発生しそうなネットワーク上の装置から受信した論理アドレス変換要求に対しては、前記アドレスリスト保持手段から転送アドレスを含むアドレスリストを取得して応答し、また、アプリケーションロジックを搭載し、かつ、実アドレスを含むアドレスリストを応答しても個人情報の漏洩が発生しないアプリケーション実行装置から受信した論理アドレス変換要求に対しては、前記アドレスリスト保持手段から実アドレスを含むアドレスリストを取得して、応答するアドレスリスト送信手段と、を有することを特徴とする論理アドレス管理装置。
【請求項７】
付加的な論理アドレスサービスを起動させるアプリケーション実行装置であって、
付加的な論理アドレスサービスのアプリケーションを実行するアプリケーション実行手段を有することを特徴とするアプリケーション実行装置。
【請求項８】
付加的な論理アドレスサービスを起動させるための論理アドレス管理装置が実行する論理アドレスサービス管理プログラムであって、
論理アドレスに対するアドレスリストとして、転送アドレスの組と、実アドレスの組の、２組のアドレスリストをアドレスリスト保持手段に保持させるステップと、
アプリケーションロジックを搭載していないか、あるいは、実アドレスを含むアドレスリストを応答すると、個人情報の漏洩が発生しそうなネットワーク上の装置からのネットワークを介して受信した論理アドレス変換要求に対しては、前記アドレスリスト保持手段から転送アドレスを含むアドレスリストを取得して応答し、また、アプリケーションロジックを搭載し、かつ、実アドレスを含むアドレスリストを応答しても個人情報の漏洩が発生しないアプリケーション実行装置からネットワークを介して受信した論理アドレス変換要求に対しては、前記アドレスリスト保持手段から実アドレスを含むアドレスリストを取得して応答するステップと、を実行することを特徴とする論理アドレスサービス管理プログラム。
【請求項９】
付加的な論理アドレスサービスを起動させるアプリケーション実行装置が実行する論理アドレスサービス起動プログラムであって、
転送アドレスから論理アドレスを抽出するステップと、
論理アドレスを管理する論理アドレス管理装置との間で論理アドレス変換を行うステップと、
前記論理アドレス管理装置から応答された実アドレスを含むアドレスリストを用いて、付加的な論理アドレスサービスのアプリケーションロジックを実行するステップと、を実行することを特徴とする論理アドレスサービス起動プログラム。
【請求項１０】
付加的な論理アドレスサービスを起動させるための論理アドレス管理装置が実行する論理アドレスサービス管理プログラムを格納した記憶媒体であって、
論理アドレスに対するアドレスリストとして、転送アドレスの組と、実アドレスの組の、２組のアドレスリストをアドレスリスト保持手段に保持させるステップと、
アプリケーションロジックを搭載していないか、あるいは、実アドレスを含むアドレスリストを応答すると、個人情報の漏洩が発生しそうなネットワーク上の装置からのネットワークを介して受信した論理アドレス変換要求に対しては、前記アドレスリスト保持手段から転送アドレスを含むアドレスリストを取得して応答し、また、アプリケーションロジックを搭載し、かつ、実アドレスを含むアドレスリストを応答しても個人情報の漏洩が発生しないアプリケーション実行装置からネットワークを介して受信した論理アドレス変換要求に対しては、前記アドレスリスト保持手段から実アドレスを含むアドレスリストを取得して応答するステップと、を実行するプログラムを格納したことを特徴とする論理アドレスサービス管理プログラムを格納した記憶媒体。
【請求項１１】
付加的な論理アドレスサービスを起動させるアプリケーション実行装置が実行する論理アドレスサービス起動プログラムを格納した記憶媒体であって、
転送アドレスから論理アドレスを抽出するステップと、
論理アドレスを管理する論理アドレス管理装置との間で論理アドレス変換を行うステップと、
前記論理アドレス管理装置から応答された実アドレスを含むアドレスリストを用いて、付加的な論理アドレスサービスのアプリケーションロジックを実行するステップと、を実行するプログラムを格納したことを特徴とする論理アドレスサービス起動プログラムを格納した記憶媒体。
【発明の詳細な説明】
【技術分野】
【０００１】
本発明は、論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体に係り、特に、通信ネットワーク上で、通信ネットワークサービスを提供するシステムにおける論理アドレスサービスを起動するための論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体に関する。
【背景技術】
【０００２】
従来、ネットワーク上のサービスにおいて、ＩＰ（Internet
Protocol）電話、電子メール、インスタントメッセージ、ＷＷＷ(World Wide Web)を１つの論理的なアドレスや番号によりアクセス可能にする方法が、公知の技術として知られている（例えば、特許文献１、非特許文献１参照）。
【０００３】
論理アドレス（論理番号）から複数の実サービスのアドレスを記述したアドレスリストへのアドレス変換は、論理アドレスとそれに対応するアドレスリストの組を、ネットワーク上の論理アドレス管理装置で管理することにより、ネットワーク上の様々な装置から可能になる。アドレス変換を行う装置や装置上のアプリケーションからのネットワークを介した論理アドレス変換要求に対し、論理アドレス管理装置は、アドレスリストを応答として返す。例えば、ＥＮＵＭでは、インターネットで運用されているＤＮＳ(Domain Name System)の仕組みが用いられる。
【０００４】
アドレスリストには、複数の異なるサービスのアドレスが記述可能であることから、論理アドレスを固定的で単一の実サービスアドレスに単純に変換するだけでなく、応答されたアドレスリストを元にアプリケーションロジックを実行する付加的な論理アドレスサービスも実現可能である。例えば、アドレスリストの中から時間に応じてサービスを１つだけ選択してアクセスするようなアプリケーションロジックや、アドレスリストの上から順番通りにアクセスするアプリケーションロジックが、論理アドレスサービスの付加サービスとして起動される。
【０００５】
【特許文献１】特開２０００−１４８６３６号公報
【非特許文献１】ＥＮＵＭ  (RFC2916)
【発明の開示】
【発明が解決しようとする課題】
【０００６】
しかしながら、上記従来の論理アドレス管理装置を用いる方法では、論理アドレス管理装置がインターネットのようなオープンなネットワーク上で運用され、論理アドレスが複数の異なる事業者間を跨って利用可能なアドレス形態である場合には、アドレス変換が付加的な論理アドレスサービスのアプリケーションロジックが搭載されている装置で行われる保証はなく、論理アドレスサービスのアプリケーションロジックが搭載されていない端末装置やルーチング途中の装置でアドレス変換されてしまう場合も想定される。
【０００７】
また、論理アドレス管理装置に保持されるアドレスリストには、電話番号や、個人の属性が類推可能なドメイン名、等が含まれた実アドレスリストが含まれることになる。
【０００８】
このように、従来の技術では、付加的な論理アドレスサービスのアプリケーションロジックを搭載していない装置で論理アドレスをアドレスリストに変換すると、付加的な論理アドレスサービスの実行に必要なアドレスリストと付加的な論理アドレスサービスのアプリケーションロジックのうち、アドレスリストしか存在しないため、付加的な論理アドレスサービスを起動することができないという問題がある。
【０００９】
また、電話番号や、個人の所属が類推可能なドメイン名、等が含まれた実サービスアドレスを、アドレスリストとして論理アドレス管理装置に保持し、ネットワーク上の様々な装置からの論理アドレス変換要求に対してそのアドレスリストを応答することは、個人情報の漏洩になるという問題がある。
【００１０】
本発明は、上記の点に鑑みなされたもので、アドレスリストに含まれる個人情報を漏洩させずに、ネットワーク上のどの装置で論理アドレスを変換しても付加的な論理アドレスサービスを起動することが可能な論理アドレスサービスを起動するための論理アドレスサービス起動方法及び論理アドレス管理装置及びアプリケーション実行装置及び論理アドレスサービス管理プログラム及び論理アドレスサービス起動プログラム及び論理アドレスサービス管理プログラムを格納した記憶媒体及び論理アドレスサービス起動プログラムを格納した記憶媒体を提供することを目的とする。
【課題を解決するための手段】
【００１１】
図１は、本発明の原理を説明するための図である。
通信ネットワークサービスを提供するシステムにおけるアプリケーションロジックを必要とする付加的な論理アドレスサービスを起動させるための論理アドレスサービス起動方法において、
論理アドレスを管理する論理アドレス管理装置において、
１つの論理アドレスに対して、該論理アドレスに対するアドレスリストとして、アプリケーションを実行するアプリケーション実行装置への転送アドレスの組と、実アドレスの組の、２組のアドレスリストを保持し（ステップ１）、
論理アドレス変換の要求元がアプリケーションロジックを搭載し、かつ、実アドレスを含むアドレスリストを応答しても個人情報の漏洩が発生しない装置であるかどうかを判定し（ステップ２、ステップ４）、
アプリケーションロジックを搭載していないか、あるいは、実アドレスを含むアドレスリストを応答すると個人情報の漏洩が発生しそうなネットワーク上の装置に対しては、転送アドレスを含むアドレスリストを、ネットワークを介して送信し（ステップ３）、
アプリケーションロジックを搭載し、かつ、実アドレスを含むアドレスリストを応答しても個人情報の漏洩が発生しないアプリケーション実行装置に対しては、実アドレスを含むアドレスリストを、ネットワークを介して送信し（ステップ５）、
アプリケーション実行装置では、
付加的な論理アドレスサービスのアプリケーションロジックにより、実アドレスを含むアドレスリストを用いて付加的な論理アドレスサービスを実行する（ステップ６）。
【００１２】
また、本発明の論理アドレスサービス起動方法では、論理アドレス管理装置において、
対応する元の論理アドレスを一意に定めることができるアドレスを、転送アドレスとして保持する。
【００１３】
また、本発明の論理アドレスサービス起動方法では、論理アドレス管理装置において、
ネットワーク上の装置からの論理アドレス変換要求に対して、アドレスリストとして転送アドレスを含むアドレスリストを応答し、
ネットワーク上の装置において、
論理アドレス管理装置から送信されたアドレスリスト中の転送アドレスを用いて、アプリケーション実行装置にアクセスすることで、アプリケーションロジックを起動する。
【００１４】
また、本発明の論理アドレス起動方法では、アプリケーション実行装置において、
転送アドレスから一意に定まる論理アドレスを抽出する。
【００１５】
また、本発明の論理アドレス起動方法では、アプリケーション実行装置において、
論理アドレス管理装置に対して、アプリケーション実行装置において抽出された論理アドレスのアドレス変換要求を行い、
論理アドレス管理装置から送信されたアドレスリスト中の実アドレスを用いて、付加的な論理アドレスサービスを実行する。
【００１６】
図２は、本発明の原理構成図である。
【００１７】
本発明は、付加的な論理アドレスサービスを起動させるための論理アドレス管理装置１であって、
論理アドレスに対するアドレスリストとして、転送アドレスの組と、実アドレスの組の２組のアドレスリストを保持するアドレスリスト保持手段１１と、
ネットワーク６を介して、アプリケーションロジックを搭載していないか、あるいは、実アドレスを含むアドレスリストを応答すると個人情報の漏洩が発生しそうなネットワーク上の装置から受信した論理アドレス変換要求に対しては、アドレスリスト保持手段１１から転送アドレスを含むアドレスリストを取得して応答し、アプリケーションロジックを搭載し、かつ、実アドレスを含むアドレスリストを応答しても個人情報の漏洩が発生しないアプリケーション実行装置から受信した論理アドレス変換要求に対しては、アドレスリスト保持手段から実アドレスを含むアドレスリストを取得して、応答するアドレスリスト送信手段１２と、を有する。
【００１８】
本発明は、付加的な論理アドレスサービスを起動させるアプリケーション実行装置２であって、
付加的な論理アドレスサービスのアプリケーションを実行するアプリケーション実行手段２１を有する。
【００１９】
本発明は、付加的な論理アドレスサービスを起動させるための論理アドレス管理装置が実行する論理アドレスサービス管理プログラムであって、
論理アドレスに対するアドレスリストとして、転送アドレスの組と、実アドレスの組の、２組のアドレスリストをアドレスリスト保持手段に保持させるステップと、
アプリケーションロジックを搭載していないか、あるいは、実アドレスを含むアドレスリストを応答すると、個人情報の漏洩が発生しそうなネットワーク上の装置からのネットワークを介して受信した論理アドレス変換要求に対しては、アドレスリスト保持手段から転送アドレスを含むアドレスリストを取得して応答し、また、アプリケーションロジックを搭載し、かつ、実アドレスを含むアドレスリストを応答しても個人情報の漏洩が発生しないアプリケーション実行装置からネットワークを介して受信した論理アドレス変換要求に対しては、アドレスリスト保持手段から実アドレスを含むアドレスリストを取得して応答するステップと、を実行する。
【００２０】
本発明は、付加的な論理アドレスサービスを起動させるアプリケーション実行装置が実行する論理アドレスサービス起動プログラムであって、
転送アドレスから論理アドレスを抽出するステップと、
論理アドレスを管理する論理アドレス管理装置との間で論理アドレス変換を行うステップと、
論理アドレス管理装置から応答された実アドレスを含むアドレスリストを用いて、付加的な論理アドレスサービスのアプリケーションロジックを実行するステップと、を実行する。
【００２１】
本発明は、付加的な論理アドレスサービスを起動させるための論理アドレス管理装置が実行する論理アドレスサービス管理プログラムを格納した記憶媒体であって、
論理アドレスに対するアドレスリストとして、転送アドレスの組と、実アドレスの組の、２組のアドレスリストをアドレスリスト保持手段に保持させるステップと、
アプリケーションロジックを搭載していないか、あるいは、実アドレスを含むアドレスリストを応答すると、個人情報の漏洩が発生しそうなネットワーク上の装置からのネットワークを介して受信した論理アドレス変換要求に対しては、アドレスリスト保持手段から転送アドレスを含むアドレスリストを取得して応答し、また、アプリケーションロジックを搭載し、かつ、実アドレスを含むアドレスリストを応答しても個人情報の漏洩が発生しないアプリケーション実行装置からネットワークを介して受信した論理アドレス変換要求に対しては、アドレスリスト保持手段から実アドレスを含むアドレスリストを取得して応答するステップと、を実行するプログラムを格納する。
【００２２】
本発明は、付加的な論理アドレスサービスを起動させるアプリケーション実行装置が実行する論理アドレスサービス起動プログラムを格納した記憶媒体であって、
転送アドレスから論理アドレスを抽出するステップと、
論理アドレスを管理する論理アドレス管理装置との間で論理アドレス変換を行うステップと、
論理アドレス管理装置から応答された実アドレスを含むアドレスリストを用いて、付加的な論理アドレスサービスのアプリケーションロジックを実行するステップと、を実行するプログラムを格納する。
【発明の効果】
【００２３】
本発明では、論理アドレス管理装置が、アプリケーションロジックを搭載していないネットワーク上の装置に対しては、転送アドレスを含むアドレスリストを応答し、アプリケーションロジックを搭載しているアプリケーション実行装置に対しては、実アドレスを含むアドレスリストを応答することにより、ネットワーク上のどの装置で論理アドレスが変換されても、論理アドレスサービスのアプリケーションロジックを搭載したアプリケーション実行装置で、実アドレスを利用した付加的な論理アドレスサービスを実行することが可能となる。
【００２４】
また、本発明では、論理アドレス管理装置が、実アドレスを含むアドレスリストを応答すると、個人情報の漏洩が発生しそうなネットワーク上の装置に対しては、転送アドレスを含むアドレスリストを応答し、実アドレスを含むアドレスリストを応答しても個人情報の漏洩が発生しないアプリケーション実行装置に対してのみ、実アドレスを含むアドレスリストを応答することにより、実アドレスに含まれる個人情報がネットワークを介して漏洩することもない。
【発明を実施するための最良の形態】
【００２５】
以下、図面と共に本発明の実施の形態を説明する。
【００２６】
図３は、本発明の一実施の形態におけるシステム構成を示しており、ＳＩＰ(Session Initiation Protocol)による通信において、論理アドレスサービスを提供する場合のシステムを示す。
【００２７】
同図に示すシステムは、論理アドレス管理装置１、アプリケーション実行装置２、ＳＩＰプロキシ装置３、発側装置４、着側装置５、及びこれらの装置を接続するネットワーク６から構成される。
【００２８】
論理アドレス管理装置１は、論理アドレスデーターベース１１と論理アドレス管理アプリケーションロジック１２から構成される。
【００２９】
論理アドレスデーターベース１１は、論理アドレスに対する転送アドレスの組を管理する転送アドレス管理部１１１と、論理アドレスに対する実アドレスの組を管理する実アドレス管理部１１２から構成される。
【００３０】
転送アドレス管理部１１１は、論理アドレスサービスのキー情報となる論理アドレス１１１１と、それに対応するアプリケーション実行装置２への転送アドレスをリストとして格納したアドレスリスト１１１２をデーターベースカラムとして持つデーターベースである。
【００３１】
実アドレス管理部１１２は、論理アドレスサービスのキー情報となる論理アドレス１１２１と、それに対応する付加的な論理アドレスサービスの実行に必要な実アドレスをリストとして格納したアドレスリスト１１２２をデーターベースカラムとして持つデーターベースである。
【００３２】
転送アドレス管理部１１１と実アドレス管理部１１２には、同一の論理アドレスをそれぞれキー情報として格納する。また、対応する元の論理アドレスを一意に定めることができるアドレスを、転送アドレスとして格納する。
【００３３】
アドレスリスト１１２２の実アドレスのリストとは、例えば、論理番号でアクセスすると、優先度を付けた複数のＳＩＰ通信の着信先を順番に呼び出すという付加サービスの場合は、着信優先度と着信先となるアドレスの組である。
【００３４】
アドレスリスト１１１２、及び、アドレスリスト１１２２へのアドレスの格納は、アドレス表記方法によって異なる。ＵＲＩ(Uniform Resource Identifiers)のように、アドレス表記中に通信プロトコルが含まれる場合には、通信プロトコル毎に複数のアドレスをリストとして格納する。一方、アドレス表記中に通信プロトコルが含まれていない場合には、複数の通信プロトコルで共用するアドレスを格納してもよい。
【００３５】
アプリケーション実行装置２は、付加サービスアプリケーションロジック２１を搭載している。
【００３６】
ＳＩＰプロキシ装置３は、ＳＩＰ通信に必要となるＳＩＰプロキシ機能を搭載している装置である。
【００３７】
発側装置４は、ＳＩＰ通信の発信側の装置であり、ＳＩＰクライアント機能を搭載している。
【００３８】
着側装置５は、ＳＩＰ通信の着信側の装置であり、ＳＩＰクライアント機能を搭載している。
【００３９】
ネットワーク６は、論理アドレス管理装置１、アプリケーション実行装置２、ＳＩＰプロキシ装置３、発側装置４、及び、着側装置５が接続される通信ネットワークであり、例えば、インターネットである。
【００４０】
次に、上記の構成における動作を説明する。
【００４１】
図４は、本発明の一実施の形態におけるシステム全体の動作のシーケンスチャートであり、図５は、本発明の一実施の形態における論理アドレス管理装置の論理アドレス管理アプリケーションロジックの動作のフローチャートであり、図６は、本発明の一実施の形態におけるアプリケーション実行装置の付加サービスアプリケーションロジックの動作のフローチャートである。
【００４２】
以下、図４〜図６を用いて、発側装置４がある論理アドレスで示される通信相手との間でＳＩＰによる呼の確立を試み、付加サービスアプリケーションロジック２１によって着側装置５が選択され、発側装置４と着側装置５との間でＳＩＰの呼が確立するようなＳＩＰ通信における付加的な論理アドレスサービスの動作を説明する。
【００４３】
論理アドレス管理装置１では、論理アドレスに対する転送アドレスの組をアドレスリストとして論理アドレスデーターベース１１の転送アドレス管理部１１１に、論理アドレスに対する実アドレスの組をアドレスリストとして論理アドレスデーターベース１１の実アドレス管理部１１２にそれぞれ保持する（ステップ２０１）。
【００４４】
図７に転送アドレス管理部１１１のレコードの例を、図８に実アドレス管理部１１２のレコードの例を示す。図７の例では、アプリケーション実行装置２への転送アドレス（Ｒ５０１）を格納している。転送アドレスは、対応する元の論理アドレスを一意に決定できるようにする。図８の例では、付加的な論理アドレスサービスの実行に必要な実アドレス（Ｒ５０２）を格納している。
【００４５】
論理アドレスデーターベース１１は、例えば、ＤＮＳのＮＡＰＴＲ(Naming
Authority Pointer)リソースレコードにより実現されてもよい。
【００４６】
発側装置４は、ネットワーク６を介して、ＳＩＰプロキシ装置３にＳＩＰの“ｉｎｖｉｔｅ”メッセージを送る（ステップ２０２）。このとき、宛先を示す“Ｒｅｑｕｅｓｔ−ＵＲＩ”に論理アドレスを指定する。
【００４７】
ＳＩＰプロキシ装置３では、ＳＩＰメッセージ中の“Ｒｅｑｕｅｓｔ−ＵＲＩ”に含まれる論理アドレスを実際のＳＩＰアドレス（ＳＩＰ−ＵＲＩ）に変換するために、ネットワーク６を介して論理アドレス管理装置１に論理アドレス変換要求を行う（ステップ２０３）。
【００４８】
論理アドレス管理装置１では、論理アドレス管理アプリケーションロジック１２が図５に示す手順で、論理アドレス変換要求を受け付けると（ステップ３０１）、論理アドレス変換要求元が、アプリケーションロジックを搭載していないか、あるいは、実アドレスを含むアドレスリストを応答すると個人情報の漏洩が発生しそうなネットワーク上の装置なのか、アプリケーションロジックを搭載し、かつ、実アドレスを含むアドレスリストを応答しても個人情報の漏洩が発生しないアプリケーション実行装置なのか、を判定し（ステップ３０２）、アプリケーションロジックを搭載していないか、あるいは、実アドレスを含むアドレスリストを応答すると、個人情報の漏洩が発生しそうなネットワーク上の装置の場合には、論理アドレスデーターベース１１の転送アドレス管理部１１１を検索し（ステップ３０３）、アプリケーションロジックを搭載し、かつ、実アドレスを含むアドレスリストを応答しても個人情報の漏洩が発生しないアプリケーション実行装置の場合には、論理アドレスデーターベース１１の実アドレス管理部１１２を検索する（ステップ３０３）。
【００４９】
本実施の形態のステップ２０３の論理アドレス変換要求は、アプリケーションロジックを搭載していないＳＩＰプロキシ装置３からのものなので、転送アドレス管理部１１１に保持されている転送アドレスを含むアドレスリストが検索される。
【００５０】
論理アドレス変換要求元の装置の判定は、予め、転送アドレスを含むアドレスリストを応答すべき装置と、実アドレスを含むアドレスリストを応答すべき装置、それぞれのＩＰアドレス等の通信アドレスや装置ＩＤ等を登録しておき判定する。実アドレスを含むアドレスリストを応答すべき装置の通信アドレスや装置ＩＤのみを登録しておき、それ以外の通信アドレスや装置ＩＤからの論理アドレス変換要求に対しては、転送アドレスを含むアドレスリストを応答してもよい。
【００５１】
例えば、論理アドレス管理装置１を一般的なＤＮＳサーバソフトウェアであるＢＩＮＤ(Barkeley Internet Domain)Version9で実現した場合には、ＤＮＳクライアントのＩＰアドレスにより、ＤＮＳクエリ応答内容を設定可能なビュー機能により実現してもよい。
【００５２】
次に、論理アドレス管理装置１では、応答電文を作成し（ステップ３０４）、ネットワーク６を介してＳＩＰプロキシ装置３に転送アドレスを含むアドレスリストを応答する（ステップ３０５、ステップ２０４）。
【００５３】
ＳＩＰプロキシ装置３では、ＳＩＰ通信の呼を確立するために、アドレスリストの中からＳＩＰプロトコルの通信アドレスで、かつ優先度が高いものを選択し、ネットワーク６を介してアプリケーション実行装置２にＳＩＰの“ｉｎｖｉｔｅ”メッセージを転送する（ステップ２０５）。
【００５４】
アプリケーション実行装置２では、付加サービスアプリケーションロジック２１が図６に示す手順で、ＳＩＰメッセージを受け付け（ステップ４０１）、ＳＩＰメッセージ中の転送アドレスから論理アドレスを抽出し（ステップ４０２）、その論理アドレスに対する実アドレスを含むアドレスリストを取得するために、ネットワーク６を介して論理アドレス管理装置１に論理アドレス変換要求を行う（ステップ４０３、ステップ２０６）。
【００５５】
論理アドレス管理装置１では、論理アドレス管理アプリケーションロジック１２が、論理アドレス変換要求を受け付け（ステップ３０１）、論理アドレス変換要求元を判定し（ステップ３０２）、論理アドレスデーターベース１１を検索する（ステップ３０３）。
【００５６】
本実施の形態におけるステップ２０６の論理アドレス変換要求は、アプリケーションロジックを搭載しているアプリケーション実行装置２からのものなので、実アドレス管理部１１２に保持されている実アドレスを含むアドレスリストが検索される。
【００５７】
次に、論理アドレス管理装置１では、応答電文を作成し（ステップ３０４）、ネットワーク６を介してアプリケーション実行装置２に実アドレスを含むアドレスリストを応答する（ステップ３０５、ステップ２０７）。
【００５８】
本実施の形態における動作の説明では、付加サービスアプリケーションロジック２１は、アドレスリストの中から最も優先度の高い実アドレスに対してＳＩＰによる呼の確立を試みる付加アプリケーションの例を示す。
【００５９】
論理アドレス変換要求応答としてアドレスリストを受信した（ステップ４０４）アプリケーション実行装置２上の付加サービスアプリケーションロジック２１は、実アドレスを含むアドレスリストの中で最も優先度の高いものを選択し（ステップ４０５）、ＳＩＰメッセージをそのアドレスに対応する着側装置５に送信する（ステップ２０８）。
【００６０】
着側装置５が応答すると（ステップ２０９）、発側装置４と着側装置５との間でＳＩＰによる呼が確立する。
【００６１】
また、上記の実施の形態における論理アドレス管理装置１の論理アドレス管理アプリケーションロジック、及び、アプリケーション実行装置２の付加サービスアプリケーションロジックは、プログラムとして当該論理アドレス管理装置１、及び、アプリケーション実行装置２として利用されるコンピュータにインストール、または、ネットワークを介して流通させることも可能である。
【００６２】
また、プログラムとしての論理アドレス管理アプリケーションロジック及び付加サービスアプリケーションロジックをそれぞれ、論理アドレス管理装置１、アプリケーション実行装置２として利用されるコンピュータに接続されるハードディスク装置や、フレキシブルディスク、ＣＤ−ＲＯＭ等の可搬記憶媒体に格納しておき、本発明を実施する際にインストールすることも可能である。
【００６３】
なお、本発明は、上記の実施の形態に限定されることなく、特許請求の範囲内において種々変更・応用が可能である。
【産業上の利用可能性】
【００６４】
本発明は、通信ネットワークサービスを提供するシステムや、ＥＮＵＭ−ＤＮＳに適用可能である。
【図面の簡単な説明】
【００６５】
【図１】本発明の原理を説明するための図である。
【図２】本発明の原理構成図である。
【図３】本発明の一実施の形態におけるシステム構成図である。
【図４】本発明の一実施の形態におけるシステム全体の動作のシーケンスチャートである。
【図５】本発明の一実施の形態における論理アドレス管理装置の論理アドレス管理アプリケーションロジックの動作のフローチャートである。
【図６】本発明の一実施の形態におけるアプリケーション実行装置の付加サービスアプリケーションロジックの動作のフローチャートである。
【図７】本発明の一実施の形態における論理アドレスデーターベースの転送アドレス管理部のレコードの例である。
【図８】本発明の一実施の形態における論理アドレスデーターベースの実アドレス管理部のレコードの例である。
【符号の説明】
【００６６】
１  論理アドレス管理装置
２  アプリケーション実行装置
３  ＳＩＰプロキシ装置
４  発側装置
５  着側装置
６  ネットワーク
１１  アドレスリスト保持手段、論理アドレスデーターベース
１２  アドレスリスト送信手段、論理アドレス管理アプリケーションロジック
２１  アプリケーション実行手段、付加サービスアプリケーションロジック
１１１  転送アドレス管理部
１１２  実アドレス管理部
１１１１  論理アドレス
１１１２  アドレスリスト
１１２１  実アドレス
１１２２  アドレスリスト
Ｒ５０１  転送アドレスを含むアドレスリスト
Ｒ５０２  実アドレスを含むアドレスリスト
【図１】
2005039706.tif 000003
【図２】
2005039706.tif 000004
【図３】
2005039706.tif 000005
【図４】
2005039706.tif 000006
【図５】
2005039706.tif 000007
【図６】
2005039706.tif 000008
【図７】
2005039706.tif 000009
【図８】
2005039706.tif 000010